(57)【要約】【課題】透過型液晶表示装置にＥＣＢモード液晶パネルを用いる際に、残余遅延を解消することができる液晶表示装置を提供する。【解決手段】第１基板５０及び第２基板１０のそれぞれに互いに反対方向に配向して形成された第１配向膜４２及び第２配向膜４４によって、第１基板５０及び第２基板１０の間に水平に配向された液晶層４０が形成されるＥＣＢモード液晶パネルと、第１基板の外側に形成された第１偏光板７０と、第２基板の外側に形成された第２偏光板８０と、ＥＣＢモード液晶パネルと第１偏光板７０との間、またはＥＣＢモード液晶パネルと第２偏光板８０との間の少なくともいずれかに、形成された補償フィルム９０と、を備えることを特徴とする。【選択図】図２
2007156426.tif 000002
【特許請求の範囲】
【請求項１】
第１基板及び第２基板のそれぞれに互いに反対方向に配向して形成された配向膜によって、前記第１基板及び前記第２基板の間に水平に配向された液晶層が形成されるＥＣＢモード液晶パネルと、
前記第１基板の外側に形成された第１偏光板と、
前記第２基板の外側に形成された第２偏光板と、
前記ＥＣＢモード液晶パネルと前記第１偏光板との間、または前記ＥＣＢモード液晶パネルと前記第２偏光板との間の少なくともいずれかに、形成された補償フィルムと、
を備えることを特徴とする液晶表示装置。
【請求項２】
前記補償フィルムは、
広視野角補償フィルムまたは位相差フィルムからなることを特徴とする請求項１に記載の液晶表示装置。
【請求項３】
前記第２基板は、
ゲート電極、ソース電極及びドレイン電極からなる薄膜トランジスタと、
前記薄膜トランジスタ上部に形成され、前記ドレイン電極を露出するコンタクトホールを有する保護層と、
前記保護層上部に形成され、前記コンタクトホールを通じてドレイン電極と連結される画素電極と、
を備えることを特徴とする請求項１または２に記載の液晶表示装置。
【請求項４】
前記第１基板は、
前記第２基板の前記薄膜トランジスタに対応する位置に形成されたブラックマトリックスと、
前記ブラックマットリックスの間に、赤、緑、及び青色が順次繰り返し形成されるカラーフィルタパターンと、
前記カラーフィルタパターン上に順次形成されたオーバーコート層及び共通電極と、
を備えることを特徴とする請求項１〜３のいずれかに記載の液晶表示装置。
【請求項５】
前記第２偏光板の下部にバックライトを有することを特徴とする請求項１〜４のいずれかに記載の液晶表示装置。
【請求項６】
前記第１偏光板の光透過軸及び前記第２偏光板の光透過軸は、前記ＥＣＢモード液晶パネルの液晶層の配向方向に対して３５゜〜５５゜傾けられて配置されることを特徴とする請求項１〜５のいずれかに記載の液晶表示装置。
【請求項７】
前記第１偏光板の光透過軸及び前記第２偏光板の光透過軸は、前記ＥＣＢモード液晶パネルの液晶層の配向方向に対して４５゜傾けられて配置されることを特徴とする請求項６に記載の液晶表示装置。
【請求項８】
前記第１偏光板の光透過軸及び前記第２偏光板の光透過軸は、互いに８０゜〜１００゜になるように配置されることを特徴とする請求項１〜７のいずれかに記載の液晶表示装置。
【請求項９】
前記第１偏光板の光透過軸及び前記第２偏光板の光透過軸は、互いに直交するように配置されることを特徴とする請求項８に記載の液晶表示装置。
【請求項１０】
前記補償フィルムは、ネガティブ遅延を持つことを特徴とする請求項１〜９のいずれかに記載の液晶表示装置。
【請求項１１】
前記補償フィルムのネガティブ遅延は、−１０ｎｍ〜−６０ｎｍであることを特徴とする請求項１０に記載の液晶表示装置。
【請求項１２】
前記補償フィルムのネガティブ遅延は、−３５ｎｍであることを特徴とする請求項１１に記載の液晶表示装置。
【請求項１３】
前記広視野角補償フィルムの光軸は、前記ＥＣＢモード液晶パネルの液晶層の配向方向に対して−１０゜〜１０゜傾けられて配置されることを特徴とする請求項２〜１２に記載の液晶表示装置。
【請求項１４】
前記広視野角補償フィルムの光軸は、前記ＥＣＢモード液晶パネルの液晶層の配向方向に対して水平に配置されることを特徴とする、請求項１３に記載の液晶表示装置。
【請求項１５】
前記位相差フィルムの光軸は、前記ＥＣＢモード液晶パネルの液晶層の配向方向に対して８０゜〜１００゜傾けられて配置されることを特徴とする請求項２〜１２に記載の液晶表示装置。
【請求項１６】
前記位相差フィルムの光軸は、前記ＥＣＢモード液晶パネルの液晶層の配向方向に対して直交に配置されることを特徴とする請求項１５に記載の液晶表示装置。
【請求項１７】
前記補償フィルムの光軸と、前記第１偏光板または第２偏光板の少なくともいずれかの光透過軸とは、互いに３５゜〜５５゜になるように配置されることを特徴とする請求項１に記載の液晶表示装置。
【請求項１８】
前記補償フィルムの光軸と、前記第１偏光板または第２偏光板の少なくともいずれかの光透過軸とは、互いに４５゜になるように配置されることを特徴とする請求項１７に記載の液晶表示装置。
【請求項１９】
第１基板及び第２基板のそれぞれに互いに反対方向に配向して形成された配向膜によって、前記第１基板及び前記第２基板の間に水平に配向された液晶層が形成されるＥＣＢモード液晶パネルと、
前記第１基板の外側に形成された第１偏光板と、
前記第２基板の外側に形成された第２偏光板と、
前記ＥＣＢモード液晶パネルと第１偏光板との間に形成された補償フィルムと、
を備えることを特徴とする液晶表示装置。
【発明の詳細な説明】
【技術分野】
【０００１】
本発明は液晶表示装置に関し、特に、ＥＣＢ（ＥｌｅｃＴｒｉｃａｌｌｙ  Ｃｏｎｔｒｏｌｌｅｄ  ｉｒｅｆｒｉｎｇｅｎｃｅ）モードの透過型液晶表示装置に関する。
【背景技術】
【０００２】
液晶表示装置は、動作モードによってＴＮ（Ｔｗｉｓｔｅｄ  Ｎｅｍａｔｉｃ）型、ＧＨ（Ｇｕｅｓｔ  Ｈｏｓｔ）型、ＥＣＢ（ＥｌｅｃＴｒｉｃａｌｌｙ  Ｃｏｎｔｒｏｌｌｅｄ  Ｂｉｒｅｆｒｉｎｇｅｎｃｅ）型及びＯＣＢ（Ｏｐｔｉｃａｌｌｙ  Ｃｏｍｐｅｎｓａｔｅｄ  Ｂｉｒｅｆｒｉｎｇｅｎｃｅ）型などに分けることができる。
【０００３】
従来、液晶表示装置は、光源の利用方法によって、バックライトを利用する透過型液晶表示装置と外部の光源を利用する反射型液晶表示装置との二つのタイプに分類することができた。しかし、前記二つのタイプを必要な状況に応じて適切に選択して使用することができる装置の必要性が提起され、透過型と反射型のタイプをすべて持っている半透過型液晶表示装置が登場している。この半透過型液晶表示装置として、ＥＣＢモードの液晶パネルが具備されたものが一般的に用いられている。
【０００４】
図１は、従来の半透過型液晶表示装置の概略断面図である。図１に示したように、従来の半透過型液晶表示装置は、第１基板１０２及び第２基板１０４それぞれに形成された配向膜１０３、１０５を、互いに反対方向に配向し、配向膜１０３、１０５によって水平に配向された液晶層１０７が第１基板１０２及び第２基板１０４の間に形成されて液晶セルを駆動するＥＣＢモード液晶パネル１００と、第１基板１０２の外側に具備された第１位相差板（ｒｅｔａｒｄａｔｉｏｎ  ｆｉｌｍ）１１０と、第１位相差板１１０の外側に具備された第１偏光板１２０と、第２基板１０４の外側に具備された第２位相差板１３０と、第２位相差板の外側に具備された第２偏光板１４０と、を備えて構成される。
【０００５】
ここで、第１基板１０２及び第２基板１０４それぞれの外側に配置された、第１位相差板１１０及び第２位相差板１３０は、光の偏光状態を変える機能をする。例えば、第１位相差板１１０及び第２位相差板１３０は、円編光を線編光に、線編光を円編光に変えるλ／４位相差板を使うこともできるし、円編光を線編光に一定の角度に回転させるλ／２位相差板を使用することもできるし、λ／４位相差板とλ／２位相差板とを一緒に使用することもできる。
【０００６】
また、第１位相差板１１０及び第２位相差板１３０それぞれの外側には、第１偏光板１２０、第２偏光板１４０が、それぞれ配置されているが、第１偏光板１２０の光透過軸は、第２偏光板１４０の光透過軸に対して９０゜の角度を持つ。
【０００７】
また、第２偏光板１４０の外側、すなわち、第２偏光板１４０の下部には、バックライト（図示せず）が配置されて透過モードの光源として利用される。
【０００８】
従来の液晶表示装置に関する技術を記載した文献としては、特許文献１等がある。
【０００９】
【特許文献１】韓国特開第１０−２００３−００５８０９２号明細書
【発明の開示】
【発明が解決しようとする課題】
【００１０】
しかし、このような従来のＥＣＢモード半透過型液晶表示装置の場合、図１に示されたようにＥＣＢモード液晶パネル１００の上、下側に、位相差板（第１位相差板１１０、第２位相差板１３０）及び偏光板（第１偏光板１２０、第２偏光板１４０）がそれぞれ具備されなければならないので、液晶表示装置が厚くなるという問題がある。
【００１１】
また、厚さを薄くするために、ＥＣＢモード液晶パネルを透過型液晶表示装置に適用することとして、位相差板を用いず偏光板のみを液晶パネル上に採用する構成にした場合には、ＥＣＢモード液晶パネルの残余遅延（ｒｅｔａｒｄａｔｉｏｎ）が発生して、ディスプレイの暗い状態の具現が不可能であるという短所がある。
【００１２】
そこで、本発明は、このような問題に鑑みてなされたもので、その目的とするところは、透過型液晶表示装置にＥＣＢモード液晶パネルを用いる際に、残余遅延を解消することができる液晶表示装置を提供することにある。
【課題を解決するための手段】
【００１３】
上記課題を解決するために、本発明のある観点によれば、第１基板及び第２基板のそれぞれに互いに反対方向に配向して形成された配向膜によって、第１基板及び第２基板の間に水平に配向された液晶層が形成されるＥＣＢモード液晶パネルと、第１基板の外側に形成された第１偏光板と、第２基板の外側に形成された第２偏光板と、ＥＣＢモード液晶パネルと第１偏光板との間、またはＥＣＢモード液晶パネルと第２偏光板との間の少なくともいずれかに、形成された補償フィルムと、を備えることを特徴とする液晶表示装置が提供される。
【００１４】
ここで、第１基板の外側とは、第１基板及び第２基板の間に液晶層が形成されるのを第１基板の内側としたときに、液晶層が形成される側の反対側の意味であり、第２基板の外側も同様である。
【００１５】
こうして、透過型液晶表示装置にＥＣＢモード液晶パネルを用いる場合に、ＥＣＢモード液晶パネルと、第１偏光板または第２偏光板の少なくともいずれかと、の間に補償フィルムを形成することにより、ＥＣＢモード液晶パネルの残余遅延を解決してコントラスト及び視野角を改善することができる。ＥＣＢモードの液晶パネルは、ブラックを出すために十分な電圧が印加される時、残余遅延が３０〜４０ｎｍになる。この残余遅延を、補償フィルムを使うことにより０に相殺させることができる。補償フィルムの残余遅延は液晶パネルの立場から−３０〜−４０ｎｍとなる効果が得られる。
【００１６】
ここで、補償フィルムは、広視野角補償フィルムまたは位相差フィルムとすることができる。また、補償フィルムとして半透過型液晶表示装置の位相差板も使用可能である。
【００１７】
また、第２基板は、ゲート電極、ソース電極及びドレイン電極からなる薄膜トランジスタと、薄膜トランジスタ上部に形成され、ドレイン電極を露出するコンタクトホールを有する保護層と、保護層上部に形成され、コンタクトホールを通じてドレイン電極と連結される画素電極と、を備えることができる。
【００１８】
また、第１基板は、第２基板の薄膜トランジスタに対応する位置に形成されたブラックマトリックスと、ブラックマットリックスの間に、赤、緑、及び青色が順次繰り返し形成されるカラーフィルタパターンと、カラーフィルタパターン上に順次形成されたオーバーコート層及び共通電極と、を備えることができる。
【００１９】
さらに、第２偏光板の下部にバックライトを有することができ、透過型液晶表示装置に適用することができる。
【００２０】
第１偏光板の光透過軸及び第２偏光板の光透過軸は、ＥＣＢモード液晶パネルの液晶層の配向方向に対して３５゜〜５５゜傾けられて配置されることができ、４５゜傾けられて配置されるとよい。３５゜〜５５゜から外れる場合、透過率及びコントラストが悪くなる。角度が４５゜の時には、位相遅延が最大に発生して最高の透過率を得ることができる。
【００２１】
第１偏光板の光透過軸及び第２偏光板の光透過軸は、互いに８０゜〜１００゜になるように配置されることができ、互いに直交するように配置されるとよい。偏光板２枚が直交になると確実なブラックを具現することができる。
【００２２】
補償フィルムは、ネガティブ遅延を持つことができる。ネガティブ遅延は、−１０ｎｍ〜−６０ｎｍであることができ、−３５ｎｍであるとよい。−３５ｎｍは広視野角補償フィルムの数値であり、この場合、一般的に５Ｖ以内でブラックを具現することができる。
【００２３】
広視野角補償フィルムの光軸は、ＥＣＢモード液晶パネルの液晶層の配向方向に対して−１０゜〜１０゜傾けられて配置されることができ、水平に配置されるとよい。水平に配置されなければ、液晶分子と広視野角補償フィルムの分子が直交するようになって、残余位相遅延が相殺できない。
【００２４】
位相差フィルムの光軸は、ＥＣＢモード液晶パネルの液晶層の配向方向に対して８０゜〜１００゜傾けられて配置されることができ、直交に配置されるとよい。一般位相差フィルムの場合、直交にならないと残余位相遅延が相殺されない。
【００２５】
補償フィルムの光軸と、第１偏光板または第２偏光板の少なくともいずれかの光透過軸とは、互いに３５゜〜５５゜になるように配置されることができ、互いに４５゜になるように配置されるとよい。４５゜になると位相遅延の効果を最大に発生させ、透過率及びブラックの特性を向上させることができる。
【００２６】
上記課題を解決するために、本発明の別の観点によれば、第１基板及び第２基板のそれぞれに互いに反対方向に配向して形成された配向膜によって、第１基板及び第２基板の間に水平に配向された液晶層が形成されるＥＣＢモード液晶パネルと、第１基板の外側に形成された第１偏光板と、第２基板の外側に形成された第２偏光板と、ＥＣＢモード液晶パネルと第１偏光板との間に形成された補償フィルムと、を備えることを特徴とする液晶表示装置が提供される。
【００２７】
上記と同様に、第１基板の外側とは、第１基板及び第２基板の間に液晶層が形成されるのを第１基板の内側としたときに、液晶層が形成される側の反対側の意味であり、第２基板の外側も同様である。こうして、透過型液晶表示装置にＥＣＢモード液晶パネルを用いる場合に、ＥＣＢモード液晶パネルと第１偏光板との間に補償フィルムを形成することにより、ＥＣＢモード液晶パネルの残余遅延を解決してコントラスト及び視野角を改善することができる。
【発明の効果】
【００２８】
以上詳述したように本発明によれば、透過型液晶表示装置にＥＣＢモード液晶パネルを用いる場合に、ＥＣＢモード液晶パネルと、第１偏光板または第２偏光板の少なくともいずれかと、の間に補償フィルムを形成することにより、ＥＣＢモード液晶パネルの残余遅延を解決してコントラスト及び視野角を改善することができるという効果がある。
【発明を実施するための最良の形態】
【００２９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３０】
（第１の実施の形態）
図２は、第１の実施の形態による液晶表示装置の断面図である。図２を参照すれば、本実施の形態による液晶表示装置は、第１基板５０及び第２基板１０それぞれに形成された第１配向膜４２、第２配向膜４４をお互いに反対方向に配向し、第１配向膜４２及び第２配向膜４４によって水平に配向された液晶層４０が液晶セルを駆動するＥＣＢモード液晶パネルと、第１基板５０の外側に具備された第１偏光板７０と、第２基板１０の外側に具備された第２偏光板８０と、ＥＣＢモード液晶パネル及び第１偏光板７０の間に具備された補償フィルム９０と、を備えて構成される。
【００３１】
ここで、ＥＣＢモード液晶パネルには、第１基板５０と第２基板１０とが配置されており、下部の第２基板１０上には、ゲート電極１３、ソース電極２３ａ及びドレイン電極２３ｂからなる薄膜トランジスタＴｒが形成されており、薄膜トランジスタＴｒは、アクティブ層１９とオミックコンタクト層２０をさらに有している。ここで、ゲート電極１３上部にはゲート絶縁膜１６が形成されている。
【００３２】
次に、薄膜トランジスタＴｒ上部には、保護層２５が形成されて薄膜トランジスタＴｒを覆っており、保護層２５は、ドレイン電極２３ｂを露出するコンタクトホール２７を持つ。次に、保護層２５上部には、画素電極３６が形成されており、コンタクトホール２７を通じてドレイン電極２３ｂに連結されている。
【００３３】
一方、上部の第１基板５０の内側面には、薄膜トランジスタＴｒに対応する位置にブラックマトリックス５３が形成されており、その下部に赤、緑、青色が順次繰り返されているカラーフィルタパターン５６ａ、５６ｂ、５６ｃが形成されており、その下部にはオーバーコート層６０と透明導電物質からなる共通電極６３が形成されている。ここで、カラーフィルタパターン５６ａ、５６ｂ、５６ｃは、一つの色が一つの画素電極３６に対応する。
【００３４】
また、第１基板５０及び第２基板１０の内側にそれぞれ第１配向膜４２及び第２配向膜４４が形成されており、第１配向膜４２及び第２配向膜４４の配向方向はお互いに反対方向である。
【００３５】
第１配向膜４２及び第２配向膜４４の間には、液晶層４０が注入されており、第１配向膜４２及び第２配向膜４４によって水平に配向された液晶層４０の液晶分子は、画素電極３６と共通電極６３とに電圧が印加された時、二つの電極（画素電極３６、共通電極６３）の間に生成された電場によって配列状態が変化することによって駆動される。
【００３６】
また、液晶表示装置は、透過型液晶表示装置として別途の光源が必要であり、図示していないが、第２偏光板８０の下部にバックライトを配置してバックライトから出る光を液晶パネルに入射させ、液晶の配列によって光の量を調節することによって画像を表示する。
【００３７】
すなわち、本実施の形態によるＥＣＢモード液晶パネルは、第１基板５０及び第２基板１０上に形成された配向膜（第１配向膜４２及び第２配向膜４４）がお互いに反対方向に配向され、第１配向膜４２及び第２配向膜４４によって水平に配向された液晶層４０が第１基板５０及び第２基板１０の間に形成されて液晶セルが駆動されることを特徴とする。
【００３８】
従来の場合、ＥＣＢモード液晶パネルは、図１で説明したように半透過型液晶表示装置に具備されることが一般的であるが、本実施の形態による液晶表示装置は、ＥＣＢモード液晶パネルを通じて透過型液晶表示装置を具現することを特徴とする。
【００３９】
但し、このためにＥＣＢモード液晶パネルの上下側に第１偏光板７０及び第２偏光板８０が具備されるだけでなく、ＥＣＢモード液晶パネル及び第１偏光板７０の間に具備された補償フィルム９０を有して構成されることを特徴とし、これによってＥＣＢモード液晶パネルの残余遅延を解消してコントラスト及び視野角を改善することができるものである。
【００４０】
ここで、補償フィルム９０は、広視野角補償フィルムまたは位相差フィルムを用いることができる。広視野角補償フィルムは液晶パネルで視野角補償のために使われるＷＶ（ｗｉｄｅ  ｖｉｅｗ）またはＮＨ（ｎｅｍａｔｕｉｃ  ｈｙｂｒｉｄ）フィルムを意味し、位相差フィルムとは、液晶パネルでコントラスト補償のために使われる一般的な位相差フィルムである。
【００４１】
また、第１偏光板７０の光透過軸及び第２偏光板８０の光透過軸は、ＥＣＢモード液晶パネルに具備された液晶層４０の配向方向に対して３５゜〜５５゜傾けられて配置されることができ、４５゜傾けられるとよい。角度が４５゜の時の位相遅延は最大となり、最高の透過率を得ることができるが、３５゜〜５５゜から外れる場合は、透過率及びコントラストが悪くなる。
【００４２】
また、第１偏光板７０の光透過軸及び第２偏光板８０の光透過軸は、お互いに８０゜〜１００゜になるように配置されることができ、第１偏光板７０の光透過軸及び第２偏光板８０の光透過軸は、お互いに直交するように配置されるとよい。第１偏光板７０の光透過軸及び第２偏光板８０の光透過軸が直交すると確実なブラックを具現できる。
【００４３】
また、本実施の形態は、ＥＣＢモード液晶パネル及び第１偏光板７０の間に補償フィルム９０が具備されるが、このとき補償フィルム９０は、−１０ｎｍ〜−６０ｎｍのネガティブ遅延を持つことを特徴とし、特に−３５ｎｍのネガティブ遅延を持つとよい。−３５ｎｍは広視野角補償フィルムの数値であり、この場合には一般的に５Ｖ以内でブラックを具現することができる。
【００４４】
また、補償フィルム９０が広視野角補償フィルムである場合、光軸はＥＣＢモード液晶パネルに具備された液晶層４０の配向方向と−１０゜〜１０゜とすることができ、水平に配列されるとよい。水平に配置されなければ、液晶分子と広視野角補償フィルムの分子が直交するようになって、残余位相遅延が相殺できない。補償フィルム９０が位相差フィルムの場合、光軸はＥＣＢモード液晶パネルに具備された液晶層の配向方向と８０゜〜１００゜とすることができ、直交に配列されるとよい。一般位相差フィルムの場合、直交にならないと残余位相遅延が相殺されない。
【００４５】
こうして、補償フィルム９０の光軸とこれに対面する第１偏光板７０の光透過軸は、お互いに３５゜〜５５゜になるように配置することができる。ただし、補償フィルム９０の光軸とこれに対面する第１偏光板７０の光透過軸がお互いに４５゜になるように配置されるとよく、残余遅延を解消することができる。
【００４６】
（第２の実施の形態）
図３は、第２の実施の形態による液晶表示装置の断面図であり、図２と同じ構成要素に対しては同じ図面符号を付け、具体的な説明は省略する。
【００４７】
図３に示された本実施の形態は、図２に示された実施の形態に比較した時、補償フィルム９０が第１偏光板７０と液晶パネルの間に位置するだけでなく、第２偏光板８０と液晶パネルの間に追加的に具備されることを特徴とする。第１の実施の形態に比し、相殺される位相遅延の数値が変わるが、第１の実施の形態と同様に残余遅延を相殺して解消し、てコントラスト及び視野角を改善することができるものである。
【００４８】
補償フィルム９０には、広視野角補償フィルムまたは位相差フィルムを用いることができ、−１０ｎｍ〜−６０ｎｍのネガティブ遅延を持つことができる。特に、約−３５ｎｍのネガティブ遅延（ｎｅｇａｔｉｖｅ  ｒｅｔａｒｄａｔｉｏｎ）を持つとよい。また、補償フィルム９０が広視野角補償フィルムである場合、光軸はＥＣＢモード液晶パネルに具備された液晶層の配向方向と−１０゜〜１０゜とすることができ、水平に配列されるとよい。また、補償フィルムが位相差フィルムの場合、光軸はＥＣＢモード液晶パネルに具備された液晶層の配向方向と８０゜〜１００゜とすることができ、直交に配列されるとよい。
【００４９】
補償フィルム９０の光軸とこれに対面する第１偏光板７０の光透過軸は、お互いに３５゜〜５５゜になるように配置される。ただし、補償フィルム９０の光軸とこれに対面する第１偏光板７０の光透過軸とが、お互いに４５゜になるように配置されるとよい。
【００５０】
図４は、第１及び第２の実施の形態による液晶表示装置に具備される広視野角補償フィルム内部構造の一実施形態を示す図面である。但し、これは一つの実施形態に過ぎないので本実施の形態に具備される広視野角補償フィルム内部構造が必ずしもこれに限定されるのではない。
【００５１】
図４を参照すれば、本実施の形態による広視野角補償フィルムの内部構造は、ネマティック液晶（Ｎｅｍａｔｉｃ  Ｌｉｑｕｉｄ  Ｃｒｙｓｔａｌ）分子４０５と、ディスコティック液晶（Ｄｉｓｃｏｔｉｃ  Ｌｉｑｕｉｄ  Ｃｒｙｓｔａｌ）分子４１０を光軸（Ｏｐｔｉｃａｘｉｓ）を一致させて配列することを特徴とし、これによってＥＣＢモード液晶パネルを透過した光の進行方向に対する位相差の変化をある程度補償することができる。
【００５２】
また、ネマティック液晶分子４０５は、陽の一軸（ｐｏｓｉｔｉｖｅ  ｕｎｉａｘｉａｌ）性物質であり、異常（ｅｘｔｒａｏｒｄｉｎａｒｙ）屈折率ｎｅが正常（ｏｒｄｉｎａｒｙ）屈折率ｎｏより大きく、ディスコティック液晶４１０は、陰の一軸（ｎｅｇａｔｉｖｅ  ｕｎｉａｘｉａｌ）性物質であり、異常（ｅｘｔｒａｏｒｄｉｎａｒｙ）屈折率ｎｅが正常（ｏｒｄｉｎａｒｙ）屈折率ｎｏより小さい。
【００５３】
広視野角補償フィルムの構造は液晶構造とは反対になっている。例えば、一般液晶(棒型)は左上および右下が細長い形態であるのに対し、広視野角補償フィルムは右上及び左下が細長い形態であり、この二つが重なれば、互いに相殺されて残余遅延を消すことができる。
【００５４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５５】
本発明は、液晶表示装置に適用可能であり、特にＥＣＢモード液晶パネルを透過型液晶表示装置に用いる場合に適用可能である。
【図面の簡単な説明】
【００５６】
【図１】従来の半透過型液晶表示装置の概略断面図である。
【図２】第１の実施の形態による液晶表示装置の断面図である。
【図３】第２の実施の形態による液晶表示装置の断面図である。
【図４】本発明の実施形態による液晶表示装置に具備される広視野角補償フィルム内部構造の一実施形態を示す説明図である。
【符号の説明】
【００５７】
１０      第２基板
４０      液晶層
４２      第１配向膜
４４      第２配向膜
５０      第１基板
７０      第１偏光板
８０      第２偏光板
９０      広視野角補償フィルム
【図１】
2007156426.tif 000003
【図２】
2007156426.tif 000004
【図３】
2007156426.tif 000005
【図４】
2007156426.tif 000006